(57)【要約】  ティッシュ・ペーパー及びティッシュ・ペーパーから製造される製品、例えばペーパー・ハンカチーフ、フェイシャル・ティッシュ・ペーパー、トイレットペーパー及び化粧用ティッシュ・ペーパー、いずれかの種類のティッシュ・ペーパー拭き取り用品など。本発明は、ローションの高い転移性を有する、滑らかな及び吸収性のローション付きティッシュ・ペーパーを製造するための方法の両方を記載する。この方法の工程は、（ａ）少なくとも１つの回転面を含むローション付与装置に隣接して連続的に走行するティッシュ・ペーパーウェブを準備する工程、（ｂ）前記ローションを１つの回転面上に転移する工程、（ｃ）主として前記回転面の回転の遠心力により前記ローションを前記回転面からローション液滴の流れの中に放出する工程、（ｄ）前記ローション液滴の流れにより前記ティッシュ・ペーパーを捕捉する工程を含む。本発明はまた、その表面に不連続な付着物として分配されるローションを含むティッシュ・ペーパーを記載する。付着物は、ローションの高い局所濃度を有し、ティッシュ・ペーパーの相対的に小さい面積を覆う。
2007534386.tif 000002
【特許請求の範囲】
【請求項１】
相対する第１の表面及び第２の表面を有するティッシュ・ペーパーであって、前記ティッシュ・ペーパーの少なくとも１つの表面にローションを含み、前記ローションが、前記第１の表面に離散された付着物で存在し、ここで前記付着物が、少なくとも１１ｇ／平方メートルの平均坪量を有するティッシュ・ペーパー。
【請求項２】
前記ティッシュ・ペーパーの前記ローションの坪量が、９ｇ／平方メートル以下である、請求項１に記載のティッシュ・ペーパー。
【請求項３】
比Ｒ3が、
【数１】
2007534386.tif 000015
として定義され、
前記比Ｒ3が、少なくとも５である、請求項１又は２のいずれか１項に記載のティッシュ・ペーパー。
【請求項４】
前記ティッシュ・ペーパーの部分が前記ローションの影響を受け、比Ｒ4が、
【数２】
2007534386.tif 000016
として定義され、
前記比Ｒ4が、０．４未満である、請求項１〜３のいずれか１項に記載のティッシュ・ペーパー。
【請求項５】
前記ティッシュ・ペーパーの部分が、前記ローションの影響を受け、比Ｒ1が、
【数３】
2007534386.tif 000017
として定義され、
前記比Ｒ1が、０．１５平方メートル／ｇ未満である、請求項１〜４のいずれか１項に記載のティッシュ・ペーパー。
【請求項６】
比Ｒ2が、
【数４】
2007534386.tif 000018
として定義され、
前記比Ｒ2が、少なくとも０．０２である、請求項１〜５のいずれか１項に記載のティッシュ・ペーパー。
【請求項７】
付着物に影響を受ける面積の２０％以上が、０．００５平方ミリメートルより大きい付着物により覆われる、請求項１〜６のいずれか１項に記載のティッシュ・ペーパー。
【請求項８】
２つの外部表面及び少なくとも２つの内部表面を有する少なくとも２つのプライの多プライ・ティッシュ・ペーパー製品であり、前記外部表面のいずれかが、前記いずれかの対応する内部表面より多くのローションを有する、請求項１〜７のいずれか１項に記載のティッシュ・ペーパーを含むティッシュ・ペーパー製品。
【請求項９】
少なくとも１つの内部プライ及び２つの外部プライを有する少なくとも３つのプライの多プライ・ティッシュ・ペーパーであり、前記外部プライが、総合して前記ティッシュ・ペーパー製品のローション総量の６０％（重量で）以上を含む、請求項１〜８のいずれか１項に記載のティッシュ・ペーパーを含むティッシュ・ペーパー製品。
【請求項１０】
前記ティッシュ・ペーパーの前記ローションの坪量が、少なくとも０．３ｇ／平方メートルである、請求項１〜９のいずれか１項に記載のティッシュ・ペーパー。
【請求項１１】
前記ローションが、少なくとも３０重量％のステアリルアルコール、少なくとも２０重量％のペトロラタム及び少なくとも１０重量％の鉱油を含む、請求項１〜１０のいずれか１項に記載のティッシュ・ペーパー。
【請求項１２】
前記ローションが、少なくとも５０重量％の脂肪酸のスクロースエステル及び少なくとも１０重量％のステアリルアルコールを含む、請求項１〜１１のいずれか１項に記載のティッシュ・ペーパー。
【請求項１３】
前記ローションが、０．０１重量％〜５重量％の２−イソプロピル−Ｎ，２，３トリメチルブチルアミドを含む、請求項１〜１２のいずれか１項に記載のティッシュ・ペーパー。
【請求項１４】
少なくとも１つの回転面を有するローション付与装置に隣接して連続的に走行するティッシュ・ペーパー・ウェブを準備する工程を含み、
前記ローションを１つの回転面上に転移する工程と；
主として前記回転面の回転の遠心力により前記ローションを前記回転面からローション液滴の流れの中に放出する工程と；
選択肢として、任意に、所望の付与の幅に適合するように調節された調節可能フラップにより、前記液滴の流れが放出される角度を低減する工程と；
前記ティッシュ・ペーパーにより前記ローション液滴の流れを捕捉し；任意に、前記ティッシュ・ペーパーにより捕捉されなかったローションを収集し、収集されたローションをリサイクルする工程と；
を含む、請求項１〜１３のいずれか１項に記載のティッシュ・ペーパーの製造方法。
【請求項１５】
前記付与が、また、前記製造方法を促進することを目的とする静電手段の使用を含む、請求項１４に記載の方法。
【請求項１６】
前記ローションが、固体、半固体、液体、又は半液体であり、前記回転面から液体又は擬似液体の形態で放出されると共に、前記ティッシュ・ペーパーによる捕捉後には固体又は擬似固体である、請求項１４又は１５のいずれか１項に記載の製造方法。
【請求項１７】
前記液滴の少なくとも２０％が、少なくとも３×１０-4μＬの容積である、請求項１４〜１６のいずれか１項に記載の製造方法。
【請求項１８】
前記回転面及び任意に前記フラップの少なくとも２つの位置が、ローションなしの少なくとも１つのティッシュ・ペーパーのエリアに並列するローションを有する少なくとも１つのティッシュ・ペーパーのエリアを生じさせる、請求項１４〜１７のいずれか１項に記載の製造方法。
【発明の詳細な説明】
【技術分野】
【０００１】
本発明はティッシュ・ペーパー、並びにティッシュ・ペーパーから製造される製品、例えばキッチン用ペーパータオル、トイレットペーパー、フェイシャル・ティッシュ・ペーパー、及び使い捨てハンカチーフ、並びにティッシュ・ペーパーの表面にローションを付着するための方法に関する。とりわけ、本発明は、その表面に特有の分布を有するローションを含むティッシュ・ペーパー、及びローションをティッシュ・ペーパーに付着するための方法に関する。
【背景技術】
【０００２】
ペーパー・ウェブ若しくはペーパー・シート、ティッシュ・ペーパー、ティッシュ・レイヤー、ペーパー・プライ、又はティッシュ・ペーパー・ウェブと呼ばれることもあるティッシュ・ペーパー、及びそれらから製造される製品、例えば、ペーパー・ハンカチーフ、ペーパーキッチンタオル、又はトイレットペーパー（bath tissue）、トイレットペーパー（toilet paper）、又はフェイシャル・ティッシュ・ペーパーは、現代社会において広範な用途が見出されており、当該技術分野において周知である。ティッシュ・ペーパーは、一般に、濡れた状態のセルロース繊維を網の上に重ねて層を形成させ、様々な添加剤又は他の成分を添加した後、乾燥工程を実施することによって製造される。前述した抄紙工程前、抄紙工程中、又は抄紙工程後の他のプロセス工程は、ティッシュ・ペーパーに所望の特性を与えることを目的とする。加工工程は、ティッシュ・ペーパー（類）から最終製品を作り出すことを目的とし、例えばエンボス加工、ローション付与、印刷、結合、切断、穿孔、又は折り畳みを包含することができる。
【０００３】
比較的厚く、しかも柔らかい使い捨てペーパー製品、即ちペーパー・ハンカチーフの形態をした製品が知られている。例えば、プロクター・アンド・ギャンブル社（The Procter & Gamble Company）により販売されるテンポ（Tempo）（商標）は、厚くて柔らかいとされ、約０．３ｍｍのキャリパーを有する多プライ・ペーパー製品である。高いキャリパーは、高度の乾燥及び湿潤強度の観念を消費者に伝える。湿潤破裂強度とも呼ばれる湿潤強度が高いと、特に引裂又は破裂が防止され、ペーパー・ハンカチーフの場合、そのことが次にはユーザーの手が粘液又は他の体液で汚染されるのを防ぐことになる。
【０００４】
ティッシュ・ペーパー表面の滑らかさを向上させる一般的なやり方は、材料をカレンダー処理することである。ハンカチーフのようなティッシュ・ペーパー製品のユーザーに知覚される滑らかさの感覚を改善する別のやり方は、抄紙段階の間及び／又は加工段階の間にティッシュ・ペーパーの組成物を幾つかの添加剤により補うことである。あるいは又は更には、幾つかの添加剤は、例えば皮膚を滑らかにすること又は皮膚への水分補給など、ティッシュ・ペーパー製品に触れる又は使用するユーザーの皮膚に効果がある。滑らかにするローション（本明細書においては、ローション、柔軟化剤、又は柔軟化組成物とも呼ばれる）は、（ａ）ティッシュ・ペーパー材料に柔軟化効果がある添加剤、（ｂ）好ましくは、皮膚に効果がある添加剤、及び（ｃ）使用中にユーザーの皮膚に部分的に転移される添加剤を表す総称である。滑らかにするローションを、ティッシュ・ペーパー製品の（製造の抄紙段階とは対照的に）製造の加工段階において未加工のティッシュ・ペーパー表面に付与することは、通常の工業的手法である。通常は、ローションはティッシュ・ペーパーの外側表面に付与されるが、内側表面にも付与できる。ローションについての一般知識及び一般的な付与方法は、多数の公報に見出すことができる。それらの中で、次のもの：米国特許第５，５２５，３４５号、ＥＰ０８０６１５７、及びＰＣＴ国際公開特許ＷＯ０２／０６６７４０が特に関連性がある。ＰＣＴ国際公開特許ＷＯ９８／２９６０５（ビンソン（Vinson）ら）は、ティッシュ・ペーパーが送達する感触の利益を高める構成での、均一な表面に離散された付着物による、滑らかにするローションのティッシュ・ペーパー上への付与を記載する。ＰＣＴ国際公開特許ＷＯ９７／４８８５４（トロカーン（Trokhan）ら）では、ティッシュ・ペーパーの特有の形態（即ち、隆起）が、ローションの特有の付与（例えば、前記隆起に）と組み合わされて、ティッシュ・ペーパーの柔らかさを高めて異なる特性を有するティッシュ・ペーパー領域を作り出せることを記載する。
【発明の開示】
【発明が解決しようとする課題】
【０００５】
滑らかにするローションは、通常は疎水性の性質であるか又は疎水性化合物を含有するため、ティッシュ・ペーパーの表面におけるローションの存在は、ティッシュ・ペーパーの特性に対して悪影響を有する可能性がある。第１に、疎水性ローションにより親水性ティッシュ・ペーパー表面を遮蔽することは、ティッシュ・ペーパーの吸収力又は吸収速度を低減する可能性がある。第２に、ローションは、ティッシュ・ペーパー構造体を通ってティッシュ・ペーパー表面から移動し、ティッシュ・ペーパーをより親水性でないようにし、滑らかにする利益を皮膚に送達する表面でのローションの利用可能性をより低くする可能性がある。時間の経過によるローションのその予想される移動に対処する伝統的なやり方は、長時間の貯蔵の後でさえも、ティッシュ・ペーパー表面上のローションのある程度の利用可能性を保証するために相対的に多量のローションを用いることである。しかしながら、これは新しく製造されたティッシュ・ペーパーに過剰のローションを付与する可能性があり、否定的な脂っぽい感触を使用中に引き起こす可能性がある（及びティッシュ・ペーパーの吸収力を更に低減させる）。第３に、繊維をコーティングするローションは、使用中にティッシュ・ペーパーにより放出されにくく、ひいてはユーザーの皮膚にそれほど転移されやすくない。これは、ローション原材料の価格が相対的に高いため、経済的に不利である可能性がある。
【０００６】
それ故に、ティッシュ・ペーパー表面で利用可能な相対的に多量のローション、及びティッシュ・ペーパー又はティッシュ・ペーパー製品の内部構造体の相対的に少量のローションを好ましくは同時に示すとともに、高い吸収力及びユーザーの皮膚へのローションの高い転移性を保持するためのティッシュ・ペーパー全体としての低い疎水性、並びにティッシュ・ペーパーの中／上の相対的に少ないローション総量を示す、ティッシュ・ペーパーを提供することへの要求がある。
【０００７】
また、１つの改善が他方に対して有害であることなしに、ティッシュ・ペーパーの滑らかにする利益の改善、ティッシュ・ペーパーの吸収力の改善、及びローションのユーザーの皮膚への転移性の改善についての要求も存在する。
【課題を解決するための手段】
【０００８】
先行技術の不利点に対処するため、本発明はローションをティッシュ・ペーパーに付与する方法を提供し、この方法は、少なくとも１つの回転面を包含するローション付与装置に隣接して連続的に走行するティッシュ・ペーパー・ウェブを準備する工程、前記ローションを１つの回転面上に転移する工程、主として前記回転面の回転の遠心力により前記ローションを前記回転面からローション液滴の流れの中に放出する工程、選択肢として、任意に、所望の付与の幅に適合するように調節された調節可能フラップにより、液滴の流れが放出される角度を任意に低減する工程、前記ローション液滴の流れを前記ティッシュ・ペーパーにより捕捉する工程、並びに任意に、前記ティッシュ・ペーパーにより捕捉されなかったローションを収集し、前記収集されたローションをリサイクルする工程を含む。
【発明を実施するための最良の形態】
【０００９】
本発明は、高レベルの表面の滑らかさ及び柔らかさ、高い吸収力、高い強度、並びに高い嵩高さを示すティッシュ・ペーパーを提供する。これら一見して矛盾するように思われる特徴が、本発明の構想に従うことによって兼ね備えられた。
【００１０】
「ローション」は、ティッシュ・ペーパーに、その柔らかさ／滑らかさを改善するために、及び好ましくは皮膚に滑らかにする効果をもたらすために、好ましくは加工段階において添加される組成物である。幾つかのローションは、ティッシュ・ペーパー物品の使用時に、ティッシュ・ペーパーからユーザーの皮膚に、転移することができる。ローションは、あるいは、滑らかにする又は柔軟にするローション若しくは組成物と呼ぶこともできる。ローションは、柔軟化／結合抑制剤、皮膚軟化剤、固定剤、及びこれらの混合物を含んでもよい。好適な柔軟化／結合抑制剤には、第四級アンモニウム化合物、ポリシロキサン、及びこれらの混合物が挙げられる。好適な皮膚軟化剤には、プロピレングリコール、グリセリン、トリエチレングリコール、鯨蝋又はその他のワックス、ペトロラタム脂肪酸、脂肪族アルコール、及び１２〜２８個の炭素原子をそれらの脂肪酸鎖に有する脂肪族アルコールエーテル、鉱油、即ちシリコーンオイル、例えばジメチコン及びイソプロピルパルミテート（isopropyl palmitrat）、並びにこれらの混合物が挙げられる。好適な固定剤には、ワックス、脂肪族アルコール、脂肪酸、例えばセレシンワックス、マイクロクリスタリンワックス、石油ワックス、フィッシャー・トロプシュ・ワックス、パラフィンワックス、ステアリルアルコール、及びパラフィン、ポリヒドロキシ脂肪酸エステル、ポリヒドロキシ脂肪酸アミド、並びにこれらの混合物が挙げられる。ほとんどの場合、ローションは少なくとも１つの固定剤及び皮膚軟化剤を含有する。ローションは、乳濁液又は分散液であることができる。他の任意構成成分には、香料、抗菌活性物質、抗ウイルス活性物質、消毒剤、薬剤活性物質、皮膜形成剤、防臭剤、不透明化剤、収れん剤、溶媒などが挙げられる。ローション構成成分の特有の例には、カンファー、チモール、メントール、カモミール抽出物、アロエベラ、キンセンカが挙げられる。
【００１１】
用語「ペーパー・ティッシュ」、「ペーパー・ティッシュ・ウェブ」、「ティッシュ・ウェブ」、「ティッシュ・ペーパー」、「ペーパー」、及び「ウェブ」は本明細書において同義的に用いられる。本発明は、一般にティッシュ・ペーパーに関して有用であり、これには従来のフェルト圧縮ティッシュ・ペーパー、嵩高パターン高密化ティッシュ・ペーパー、及び嵩高非圧縮ティッシュ・ペーパー、及び通気乾燥ペーパーが挙げられるが、これらに限定されない。ティッシュ・ペーパーは、均質又は多層の構成であることができ；及びそれらから製造されたティッシュ・ペーパー製品は、単プライ又は多プライの構成であることができる。ティッシュ・ペーパーは、好ましくは約１０ｇ／ｍ2〜約６５ｇ／ｍ2の坪量、及び約０．６ｇ／ｃｃ以下の密度を有する。より好ましくは、坪量は約４０ｇ／ｍ2以下であり、密度は約０．３ｇ／ｃｃ以下である。どのようにしてティッシュ・ペーパーの密度を測定するかについて記載する米国特許第５，０５９，２８２号（アンパルスキー（Ampulski）ら、１９９１年１０月２２日発行）の第１３欄６１〜６７行を参照のこと。（特に指定のない限り、ペーパーに関連するすべての量及び重量は、乾燥基準である）本発明に使用される抄紙繊維には、普通は、木材パルプに由来する繊維が挙げられる。綿リンター、バガスなど他のセルロース繊維性パルプ繊維を使用することができ、これらは本発明の範囲内にあるものとする。デンプン及びその他の多糖類を包含するもののような非セルロース繊維。レーヨン繊維、ポリエチレン繊維及びポリプロピレン繊維のような合成繊維もまた、単独で又は天然セルロース繊維と組み合わせて使用することができる。利用可能な１つの代表的なポリエチレン繊維は、ハーキュレス社（Hercules,Inc.）（デラウェア州ウィルミントン）から入手可能なパルペックス（Pulpex）（登録商標）である。利用可能な木材パルプには、クラフト（Kraft）パルプ、亜硫酸パルプ、及び硫酸塩パルプなどの化学パルプ、並びに例えば、砕木パルプ、サーモメカニカルパルプ、及び化学的に改質したサーモメカニカルパルプを包含するメカニカルパルプが挙げられる。抄紙繊維に加えて、ティッシュ・ペーパー構造体を製造するために用いられる抄紙完成紙料も、それらに添加される、当該技術分野において既知であり得る又は後に既知となり得るその他の構成成分又は材料を有することができる。望ましい添加剤の種類は、企図されるティッシュ・ペーパー・シートの特有の最終用途に依存する。例えば、トイレットペーパー、ペーパータオル、フェイシャル・ティッシュ・ペーパー、及びその他の同様な製品などの製品では、高い湿潤強度が望ましい属性である。したがって、抄紙完成紙料に、当該技術分野において「湿潤強度」樹脂として既知の化学物質を添加することは多くの場合望ましい。
【００１２】
本発明のティッシュ・ペーパーは、材料の単一層から形成することもできるし、又は多層のティッシュ・ペーパー・ウェブであることもできる。用語「多層のティッシュ・ペーパー・ウェブ、多層ペーパー・ウェブ、多層ウェブ、多層ペーパー・シート、及び多層ペーパー製品」はすべて、異なる繊維の種類から好ましくは構成される、水性抄紙完成紙料の２以上の層から調製されるペーパーのシートを指すために、当該技術分野において同義的に用いられ、この繊維は典型的には、ティッシュ・ペーパーの抄紙において用いられるような相対的に長い針葉樹繊維及び相対的に短い広葉樹繊維である。層は、無数の小孔のある１以上の表面に、希釈された繊維スラリーの別個の流れの付着から好ましくは形成される。層が、初めに別個の小孔のある表面に形成される場合、層はその後濡れている時に組み合わされて、多層のティッシュ・ペーパー・ウェブを形成することができる。
【００１３】
本発明の「ティッシュ・ペーパー製品」は、上記のティッシュ・ペーパーの１又は複数のプライから製造されたキッチンタオル又はペーパー・ハンカチーフのような最終製品である。多プライ・ペーパー製品の各プライは、様々な材料から製造されること、又は抄紙若しくは加工工程において様々なやり方で製造されることができる。本明細書で使用する時、用語「単プライ・ティッシュ・ペーパー製品」は、それが、ティッシュ・ペーパーの１つのプライから構成されることを意味し；そのプライは事実上実質的に均質であるか、又はそれは多層のティッシュ・ペーパー・ウェブであることができる。本明細書で使用する時、用語「多プライ・ティッシュ・ペーパー製品」は、それが、１を超えるティッシュ・ペーパーのプライから構成されることを意味する。多プライ・ティッシュ・ペーパー製品のプライは、事実上実質的に均質であること、又はそれは多層のティッシュ・ペーパー・ウェブであることができる。
【００１４】
「ローションの付着物」（又は「付着物」）は、相対的に高いローションの坪量のエリアである。付着物は、少なくとも１０ｇ／平方メートルのローションの局所坪量を有する、ローション付きティッシュ・ペーパーのエリアとして定義される。より低い局所坪量を有するティッシュ・ペーパーのエリアは、付着物の一部ではない。ティッシュ・ペーパーの局所坪量は、この後に記載されるように測定される。
【００１５】
「付着物のローションの坪量」は、グラム毎平方メートルにより表される、ティッシュ・ペーパーのローションの付着物内でのローションの濃度である。これは付着物のエリア、及び付着物内でのローションの量のみを考慮に入れる。これは測定される付着物の平均値である。付着物の坪量は、この後に記載される方法により測定される。
【００１６】
「ティッシュ・ペーパーのローションの坪量」は、グラム毎平方メートルにより表される、ティッシュ・ペーパーのローションの全体的な濃度である（合計又は全体坪量又は濃度とも呼ばれる）。坪量は、いずれかの標準的方法、例えば溶媒抽出により測定すること、又はプロセス条件から推論することができる（ティッシュ・ペーパーの総面積で割ったティッシュ・ペーパーに付着されたローションの量）。
【００１７】
「付着物のサイズ」は、この後に記載される方法により測定される時、ティッシュ・ペーパーのローションの付着物の平均サイズである。
【００１８】
「ローションにより影響を受けるティッシュ・ペーパーのエリア」は、本明細書に記載される方法により決定される時、３ｇ／平方メートルを超えるローションの局所坪量を有するエリアである。
【００１９】
上記のように、ティッシュ・ペーパーのユーザーの皮膚に容易に転移することができるローションを含む、滑らかなティッシュ・ペーパーを提供することは望ましい。本発明によると、ティッシュ・ペーパーのローションの分配を多数の離散された付着物として選択することで、ティッシュ・ペーパーからユーザーの皮膚上へのローションの転移性を高めることができる。ローションの局所濃度（＝坪量）が高ければ高いほど、使用時にユーザーの皮膚に転移する能力（転移性）は高くなる。実際、離散された付着物におけるローションの相対的に高い局所濃度により、相対的に少量のローションが、ティッシュ・ペーパー繊維に「結合され」（繊維コーティング）、ひいては相対的により多くのローションが、転移可能となる。
【００２０】
ティッシュ・ペーパーのローションの相対的に高い合計坪量により、ローションの高濃度を有する付着物を相対的に容易に得ることができる。しかしながら幾つかの態様では、本発明は、不連続な付着物としてのティッシュ・ペーパーのローションの分配について、付着物内のローションの相対的に高い局所濃度（＝付着物のローションの坪量）、及びティッシュ・ペーパー内のローションの相対的に低い合計坪量の両方を可能にする。本発明の幾つかの実施形態では、付着物内のローションの坪量は、少なくとも１１ｇ／平方メートル、１３ｇ／平方メートル、１５ｇ／平方メートル、１７ｇ／平方メートル、２０ｇ／平方メートル、２５ｇ／平方メートルであるか、又は３０ｇ／平方メートルを超える。またティッシュ・ペーパーのローションの合計坪量は、９ｇ／平方メートル以下、６ｇ／平方メートル未満、４．５ｇ／平方メートル未満、３．０ｇ／平方メートル未満、又は２ｇ／平方メートル未満である。
【００２１】
幾つかの実施形態では、ティッシュ・ペーパーのローションの合計坪量に対する付着物のローションの坪量の比Ｒ3が考察され得る。
【００２２】
【数１】
2007534386.tif 000003
幾つかの実施形態では、Ｒ3は、少なくとも５、７、１０、１５、又は２０である。
【００２３】
前述したように、相対的に大きな面積の「自由吸収空間」、即ちローションのないティッシュ・ペーパーの面積を提供することはまた望ましいことが見出された。ローションは、事実上一般に疎水性であり、及びローションが付着される局所エリアのティッシュ・ペーパーの吸収力を低減する傾向がある。あるいは、相対的に親水性のローション（例えば、エマルション）は、ティッシュ・ペーパーの局所飽和を提供し、ひいてはローションが存在する場所の残りの吸収を低減する可能性がある。それ故に、付着物の集積面積が小さくなればなるほど、ティッシュ・ペーパーの吸収力は高くなる。幾つかの態様では、本発明は、相対的に小さい付着物を提供する（それらはまた好ましくはローション濃度が相対的に高く、ローションの影響を受けない面積が相対的に大きい。
【００２４】
小さいサイズの付着物は、ティッシュ・ペーパーのローションの低い合計坪量を相対的に得やすい可能性がある。しかしながら本発明は、相対的に小さい付着物及びティッシュ・ペーパーのローションの相対的に高い合計坪量の両方を提供する。
【００２５】
幾つかの実施形態では、付着物のサイズ（面積）は、本明細書の中に記載される方法により決定される時、
比Ｒが考察され得る。Ｒは：
【００２６】
【数２】
2007534386.tif 000004
として定義される。
【００２７】
本発明の幾つかの実施形態のように、Ｒは０．１５平方メートル／ｇ未満、０．１３平方メートル／ｇ未満、０．１０平方メートル／ｇ未満、０．０８平方メートル／ｇ未満、又は０．０５平方メートル／ｇ未満である。
【００２８】
特定の実施形態では、ティッシュ・ペーパーのローションの合計坪量は、少なくとも０．３ｇ／平方メートル、０．６ｇ／平方メートル、１．０ｇ／平方メートル、１．５ｇ／平方メートル、又は２．５ｇ／平方メートルである。幾つかの実施形態では、付着物及びティッシュ・ペーパーのローションの絶対量が考察され得る。比Ｒ2は、その点に関して：
【００２９】
【数３】
2007534386.tif 000005
と定義される。
【００３０】
これらの実施形態では、Ｒ2は、少なくとも０．０２、０．０５、０．１、０．２、０．４であるか、又は０．８を超える。
【００３１】
幾つかの実施形態では、本発明は、ティッシュ・ペーパーの「開放面積」（＝ローションにより影響を受けない／覆われない面積）の比率に関する。Ｒ4は
【００３２】
【数４】
2007534386.tif 000006
として定義される。
【００３３】
こうした比Ｒ4は、０．４未満、０．３未満、０．２未満、０．１５未満、又は０．１未満であり得ることが見出された。
【００３４】
幾つかの実施形態では、本発明は、付着物により覆われる、即ち、少なくとも０．００５平方ミリメートル、０．０１平方ミリメートル、０．０２５平方ミリメートルより大きいか、又は０．０３平方ミリメートル〜３平方ミリメートルのサイズの付着物により覆われる、総面積の百分率Ｐ１に関する。この百分率Ｐ１は、好ましくは２０％より大きく、５０％より大きく、７０％より大きく、及び８５％より大きいことが見出された。
【００３５】
幾つかの実施形態では、本発明は、多プライ・ティッシュ・ペーパー製品に関する。多プライ・ティッシュ・ペーパー製品が２つのプライを含む場合、少なくとも１つの外部表面（外側に向いた表面）は、その対応する内部表面（内側に向いた表面）より多くのローションを有することが望ましいことが見出された。これは、電子顕微鏡検査を走査することにより決定できる。多プライ・ティッシュ・ペーパー製品が、少なくとも３つのプライを有する場合、外側のプライの１つに、少なくとも６０％、少なくとも７０％、少なくとも８０％、又は少なくとも９０％のローションが位置付けられる時、ローションの転移性は好適であることが見出された。実際に、内部プライ（類）の上に存在するローションは、ユーザーの皮膚へのローションの転移について、それほど貢献しない。
【００３６】
ローション：
本明細書に記載されるように、本発明は、滑らかにするローションについて特に重点的に取り組んでいる。いずれの種類の添加剤又は化合物も、物理的特性（例えば、融点、粘度）及び付与温度が、ティッシュ・ペーパーの表面において付与される添加剤又は化合物の所望の分配パターンを得るために調節される限り、記載されるプロセスにより付与できることに注意するべきである。これらの添加剤又は化合物品には：水分補給ローション、石鹸、保湿剤、日差しよけ、メークアップ除去成分、老化防止、消毒剤、又は美容及び治療分野においてより一般的な添加剤／化合物、洗剤、石鹸、ワックス、洗浄添加剤、並びに物体、表面又は機械的部品の洗浄、保守、保護、及び処理のためのより一般的な化合物を挙げることができる。
【００３７】
ローションは、ほとんどの場合、異質の組成物である。それらは、固体、結晶性ゲル構造体、ガラス点未満のポリマー材料、多数の相（例えば、油相及び水相）、及び／又は乳化構成成分を含有してもよい。ローションの溶融温度を正確に決定することは困難である場合がある。即ち、液体形態、疑似液体形態、擬似固体形態、及び固体形態の間の転移温度を決定することは困難である場合がある。用語、溶融温度、融点、転移点、及び転移温度は本明細書において同義的に用いられ、同じ意味を有する。
【００３８】
本発明の目的のために、溶融温度は、ローションの形態又は状態（液体、固体、擬似液体、擬似固体）の定義に関係するだけでなく、そのレオロジー的特性にも関係することが考察される。本発明の目的のために、液体又は擬似液体ローションは、例えば付与のプロセスの間に遭遇する力のもとで、流動、移動、及び転移可能であることが定義される。固体又は擬似固体ローションは、自由に流動することができず、それらの位置に幾分かは固定される。例えば、ローションは、それが回転面上に供給され、用いられるプロセス条件のもとでそこから放出され得る場合には、液体又は擬似液体と言われる。ローションは、室温、即ち２３℃で、製品が通常用いられるまでに、ローションがティッシュ・ペーパーの表面から内部構造体に、顕著に自由に移動しない場合には、固体又は半固体と言われる。
【００３９】
ローションは、表面処理剤を含んでもよい。ローションに包含されてもよい好適な表面処理剤の非限定例は：ポリエチレン及びその誘導体のようなポリマー、炭化水素、ワックス、油、シリコーン（ポリシロキサン）、第四級アンモニウム化合物、フッ化炭素、置換Ｃ10〜Ｃ22アルカン、置換Ｃ10〜Ｃ22アルケン、特に脂肪族アルコール及び脂肪酸の誘導体（例えば、脂肪酸アミド、脂肪酸縮合物、及び脂肪族アルコール縮合物）、ポリオール、ポリオール誘導体（例えば、エステル及びエーテル）、糖誘導体（例えば、エーテル及びエステル）、ポリグリコール（例えば、ポリエチレングリコール）、並びにこれらの混合物から成る群から選択され得る。
【００４０】
ローションは、油及び／又は皮膚軟化剤及び／又はワックス（これらのいずれか及びすべては転移性剤であってもよい）及び／又は固定剤を含んでもよい。１つの例では、ローションは、約１０％〜約９０％の油及び／若しくは液体皮膚軟化剤、並びに約１０％〜約５０％の固定剤、並びに／又は約０％〜約６０％のペトロラタム、並びに任意にビヒクルの残部を含む。
【００４１】
ローションは、異質であってもよい。それらは、固体、ゲル構造体、ポリマー材料、多数の相（例えば油相及び水相）、及び／又は乳化構成成分を含有してもよい。ローションの溶融温度を正確に決定することは困難である場合がある。即ち、液体形態、疑似液体形態、擬似固体形態、及び固体形態の間の転移温度を決定することは困難である場合がある。用語、溶融温度、融点、転移点、及び転移温度は本明細書において同義的に用いられ、同じ意味を有する。
【００４２】
ローションは、高粘度の半固体であってもよく、そのためそれらは製品又はゲル構造体の寿命の間に活性化されずには実質的に流動しない。
【００４３】
ローションは、シアシニング（shear thinning）であってもよく、及び／又はそれらは皮膚温度付近でそれらの粘度を大きく変更して、ユーザーの皮膚での転移及び容易な拡散を可能にしてもよい。
【００４４】
ローションは、乳濁液及び／又は分散液の形態であってもよい。
【００４５】
ローションの１つの例では、ローションは、約２０％未満、及び／又は１０％未満、及び／又は約５％未満、又は約０．５％未満の水分含有量を有する。
【００４６】
別の例では、ローションは、少なくとも約１５％、及び／又は少なくとも約２５％、及び／又は少なくとも約３０％、及び／又は少なくとも約４０％から約１００％まで、及び／又は約９５％まで、及び／又は約９０％まで、及び／又は約８０％までの固形成分含有量を有してもよい。
【００４７】
好適な油及び／又は皮膚軟化剤の非限定例には、グリコール（例えば、プロピレングリコール及び／又はグリセリン）、ポリグリコール（例えば、トリエチレングリコール）、ペトロラタム、脂肪酸、脂肪族アルコール、脂肪族アルコールエトキシレート、脂肪族アルコールエステル及び脂肪族アルコールエーテル、脂肪酸エトキシレート、脂肪酸アミド及び脂肪酸エステル、炭化水素油（例えば、鉱油）、スクアラン、フッ素化皮膚軟化剤、シリコーンオイル（例えば、ジメチコン）、並びにこれらの混合物が挙げられる。
【００４８】
固定剤には、皮膚軟化剤がティッシュ・ペーパー及び／若しくは衛生ティッシュ・ペーパー製品の表面、並びに／又はティッシュ・ペーパー及び／若しくは衛生ティッシュ・ペーパー製品の表面の表面処理組成物に主として残留して、ローションのユーザーの皮膚への転移を促進するように、皮膚軟化剤のティッシュ・ペーパーへの移動を妨げてもよい剤が挙げられる。固定剤は、粘度増加剤及び／又はゲル化剤として機能してもよい。
【００４９】
好適な固定剤の非限定例には、ワックス（例えば、セレシンワックス、オゾケライト、マイクロクリスタリンワックス、石油ワックス、フィッシャー・トロプシュ・ワックス、シリコーンワックス、パラフィンワックス）、脂肪族アルコール（例えば、セチル及び／又はステアリルアルコール）、脂肪酸及びそれらの塩（例えば、ステアリン酸の金属塩）、モノ及びポリヒドロキシ脂肪酸エステル、モノ及びポリヒドロキシ脂肪酸アミド、シリカ及びシリカ誘導体、ゲル化剤、増粘剤、並びにこれらの混合物が挙げられる。
【００５０】
１つの例では、ローションは、少なくとも１つの固定剤及び少なくとも１つの皮膚軟化剤を含む。
【００５１】
１つの例では、ローションは、脂肪酸のスクロースエステルを含む。
【００５２】
ローションは転移性剤を含んでもよく、ひいては転移性ローションであるとみなされてもよい。転移性ローションは、使用時にユーザーの皮膚のような相対する表面に転移され得る少なくとも１つの転移性剤を含む。１つの例では、ユーザー接触面に存在する転移性ローションの少なくとも０．１％が、使用中にユーザーの皮膚に転移する。使用中にユーザーの皮膚に転移する転移性組成物の量は、ユーザーによるティッシュ・ペーパー及び／又は衛生ティッシュ・ペーパー製品の使用後に、３Ｍから入手可能なテガダーム・テープ（Tegaderm Tapes）を用いて、皮膚を３回テープストリッピングし、及び転移性組成物について、又は転移性組成物のすべての構成成分は等しく転移すると仮定して転移性組成物中の構成成分についてテープを分析することによるなど既知の方法により決定することができる。
【００５３】
ローションに包含されてもよいその他の任意構成成分には、ビヒクル、香料、特に長持ちする及び／又は長続きする香料、抗菌活性物質、抗ウイルス活性物質、消毒剤、薬剤活性物質、皮膜形成剤、防臭剤、不透明化剤、収れん剤、溶媒、冷感剤などが挙げられる。ローション構成成分の特有の例には、カンファー、チモール、メントール、カモミール抽出物、アロエベラ、キンセンカ、α−ビサボロール（bisalbolol）、ビタミンＥ、ビタミンＥアセテートが挙げられる。
【００５４】
１つの例では、ローションは、ティッシュ・ペーパー及び／若しくは衛生ティッシュ・ペーパー製品の表面、並びに／又はティッシュ・ペーパー及び／若しくは衛生ティッシュ・ペーパー製品の表面に存在する表面処理組成物に、ユーザー接触面当たり、少なくとも約０．５ｇ／ｍ2、及び／又は少なくとも約１．０ｇ／ｍ2、及び／又は少なくとも約１．５ｇ／ｍ2の濃度で存在する。別の例では、ローションは、ティッシュ・ペーパー及び／若しくは衛生ティッシュ・ペーパー製品の表面、並びに／又はティッシュ・ペーパー及び／若しくは衛生ティッシュ・ペーパー製品の表面に存在する表面処理組成物に、ユーザー接触面当たり、約０．５ｇ／ｍ2から、及び／又は約１．０ｇ／ｍ2から、及び／又は約１．５ｇ／ｍ2から約１０ｇ／ｍ2まで、及び／又は約８ｇ／ｍ2まで、及び／又は約６ｇ／ｍ2までの濃度で存在する。
【００５５】
本明細書で使用する時、「ビヒクル」は、表面処理組成物を形成する剤及び／又はローションを希釈するため及び／又は乳化して分散液／乳濁液を形成するために用い得る物質である。ビヒクルは、表面処理組成物及び／又はローションに、特に表面処理組成物の付与中及び／又はティッシュ・ペーパーへの付与中に存在してもよい。ビヒクルは、構成成分を溶解してもよいし（真溶液若しくはミセル溶液）、又は構成成分がビヒクル全体に分散されてもよい（分散液又は乳濁液）。懸濁液又は乳濁液のビヒクルは、典型的にはその連続相である。即ち、分散液又は乳濁液の他の構成成分は、ビヒクル全体に分子レベルで、又は離散粒子として分散される。
【００５６】
本発明のビヒクルとして用いるために好適な物質には、水が挙げられるがこれに限定されないヒドロキシル官能液体が挙げられる。１つの例では、ローションは、約２０重量％未満、及び／又は約１０重量％未満、及び／又は約５重量％未満、及び／又は約０．５重量％未満のビヒクル、例えば水を含む。１つの例では、表面処理組成物は、約５０重量％を超える、及び／又は約７０重量％を超える、及び／又は約８５重量％を超える、及び／又は約９５重量％を超える、及び／又は約９８重量％を超えるビヒクル、例えば水を含む。
【００５７】
本発明の好適なローションは、２０％未満、１０％未満、５％未満、又は０．５％未満の水分含有量を有することが見出された。
【実施例】
【００５８】
ローション処方の実施例１：
ローションが次の組成（重量／重量百分率による）を有する場合に、本発明は特に有効であることが見出された。
【００５９】
【表１】
2007534386.tif 000007
＊米国シンシナティのプロクター・アンド・ギャンブル・ケミカルズ（Procter&Gamble Chemicals）から入手可能
＊＊クロンプトン社（Crompton Corporation）から入手可能
この処方は、約５１℃の融点、及び０．１Ｌ／ｓの剪断速度で測定される５６℃で約１７ｍ＊Ｐａｓの溶融粘度を有する。この処方中に用いられる鉱油は、２０℃で約２１ｍＰａ＊ｓの粘度を有する。処方は、ティッシュ・ペーパーの実施例１に記載されるティッシュ・ペーパー基材の両外側表面に等しい量により、３．６ｇ／平方メートル、４．２ｇ／平方メートル、６ｇ／平方メートル、７．２ｇ／平方メートル、８．４ｇ／平方メートル、及び１１．４ｇ／平方メートルの総付加濃度で付与された。消費者の使用試験では、すべての製品が顕著なローションの感触を提供し、皮膚ケア特性について及び手触りが粗くないことについて、未処理の基礎のティッシュ・ペーパー製品より消費者に好まれた。このローションは、所望の構造体を安定化するのに役立つ、処方中の高濃度の脂肪族アルコールのために、本発明の中で主張されるようにローションの付着物及び分配を提供するのに特に適していると仮定される。低粘度の油が使用される場合には、３０％を超える、３５％を超える、又は４０％を超える脂肪族アルコールが処方中に存在する場合に、本発明が最良に機能すると考えられている。
【００６０】
ローションの実施例２：
発明の一部としてではあるがまた独立して、次の組成（重量百分率による）が特に有効であることがまた見出された。
【００６１】
【表２】
2007534386.tif 000008
＊脂肪酸のスクロースエステル、米国シンシナティのプロクター・アンド・ギャンブル・ケミカルズ（Procter&Gamble Chemicals）から入手可能
＊＊米国シンシナティのプロクター・アンド・ギャンブル・ケミカルズ（Procter&Gamble Chemicals）から入手可能
このローションは、本発明の中で主張されるようにローションの付着物及び分配を提供するのに特に適していると仮定される。ローション中に用いられる油の相対的に高い粘度は、ローションの有効性に関して具体的な利益を提供することが、別に推測される。上記の処方は、室温で剪断力に敏感な半固体であり、約５０℃の融点、及び０．１／ｓの剪断速度において、５６℃で約５０ｍＰａｓの溶融粘度を有する。この処方中に用いられる油（脂肪酸のスクロースエステル）は、２４℃で約４１８ｍＰａ＊ｓの流体粘度を有する。
【００６２】
上記の処方は、ティッシュ・ペーパーの実施例１に記載される基材の両外側表面に等しく、更に以下に記載される装置及び方法を用いて付与された。総付加濃度は、各表面について６ｇ／平方メートル、３ｇ／平方メートルであった。
【００６３】
製品は次に、本実施例に記載される処方の代わりに実施例１に記載される処方により製造された同じティッシュ・ペーパー製品と共に、消費者使用試験を受けた。平均して、官能試験員は、本実施例の処方により製造された製品を好ましく、及び肌触りについて実施例１の処方より気持ちが良いと評価した。特に、ローションの感触は、実施例１のローションより蝋様でないと評価される。油の高い粘度がより気持ちのよい肌触りの原因であると推測される。２０℃及び０．１ｍＰａ＊ｓの剪断速度で、３０ｍＰａｓを超える、好ましくは４０ｍＰａｓを超える、より好ましくは６０ｍＰａ＊ｓを超える、更により好ましくは１００ｍＰａｓ、１５０ｍＰａ＊ｓ、２００ｍＰａ＊ｓ、２５０ｍＰａ＊ｓ、３００ｍＰａ＊ｓを超える、及び最も好ましくは３５０ｍＰａｓを超える粘度を有する油又は油の混合物が、この処方のより低い粘度の油又は油の混合物と比較して、感触の利益を生じると考えられている。シアシニングの油又は油の混合物については、好ましい粘度は更により高い可能性がある。油の好適な種類には、鉱油、炭化水素系油、植物油、エステル、エーテル、アルコール、ケトン、シリコーンオイル、グリコール及びポリグリコール又はこれらの混合物、及び低粘度の基油との混合物が挙げられるがこれらに限定されない。
【００６４】
処方の高い溶融粘度は、少量の固定剤と共に処方される場合でさえも、処方がティッシュ・ペーパーに消散するのを最小にすることにより、最終製品のローションの転移を高めるのに役立つことが更に推測される。本実施例では、付与後に十分に迅速に処方を固定するために、２０％のステアリルアルコールは十分である。処方の蝋様の感触を低減するのはこの少量の固定剤であると考えられている。付与温度での、２０ｍＰａｓ、好ましくは４０ｍＰａｓ、更により好ましくは６０ｍＰａ＊ｓ、８０ｍＰａ＊ｓ、１００ｍＰａ＊ｓ、１５０ｍＰａ＊ｓ、２００ｍＰａ＊ｓ、２５０ｍＰａ＊ｓ、３００ｍＰａ＊ｓより高く、好ましくは２０００ｍＰａ＊ｓ未満の溶融粘度は、最終製品のローションの転移を改善すると更に考えられている。これは、溶融物の付与直後の固化プロセスの間に相対的に減速するローションのウェブへの浸透によるものであると考えられている。用いられる油、又は用いられる油の混合物の粘度の、温度及び／又は剪断力への強い依存が、最終製品のローションの転移を改善するのに役立つと更に仮定される。
【００６５】
反対に、次の処方は、本実施例の最初の処方と同じプロセス及び量でウェブに付与された場合に、はるかに多くがティッシュ・ペーパーに消散することが見出された。高い粘度の油が存在しないことによりこれは生じると推測される。
【００６６】
【表３】
2007534386.tif 000009
＊米国シンシナティのプロクター・アンド・ギャンブル・ケミカルズ（Procter&Gamble Chemicals）から入手可能
＊＊クロンプトン社（Crompton Corporation）から入手可能
ローションの実施例３：
発明の一部としてではあるがまた独立して、次の組成（重量百分率による）が特に有効であることがまた見出された。このローションは、本発明の中で主張されるようにローションの付着物及び分配を提供するのに特に適していると仮定される。ローションに用いられる油の相対的に高い粘度は、ローションの有効性に関して具体的な利益を提供することが、別に推測される。
【００６７】
【表４】
2007534386.tif 000010
＊脂肪酸のスクロースエステル、米国シンシナティのプロクター・アンド・ギャンブル・ケミカルズ（Procter&Gamble Chemicals）から入手可能
＊＊米国シンシナティのプロクター・アンド・ギャンブル・ケミカルズ（Procter&Gamble Chemicals）から入手可能
上記の処方は、室温で剪断力に敏感な半固体であり、約５０℃の融点、並びに５６℃及び０．１／ｓの剪断速度で約５０ｍＰａｓの溶融粘度を有する。この処方中に用いられる油（脂肪酸のスクロースエステル）は、２４℃で約４１８ｍＰａ＊ｓの流体粘度を有する。
【００６８】
上記の処方は、ティッシュ・ペーパーの実施例１に記載されるティッシュ・ペーパー基材の両外側表面に等しく、更に記載される装置及び方法を用いて付与された。総付加濃度は、各外側表面について４．２ｇ／平方メートル、２．１ｇ／平方メートル（g/qm）であった。製品は次に、本実施例に記載される処方の代わりに実施例１に記載される処方により製造された同じティッシュ・ペーパー製品と共に、消費者使用試験を受けた。平均して、官能試験員は、本実施例の処方により製造された製品を、肌触りに関連する属性について実施例２の処方より悪いと評価した。特に、この処方は、より蝋様であると知覚された。しかしながら、実施例２では、より少ないローションが付与されたにもかかわらず、本実施例の製品は、ティッシュ・ペーパーのローション量について同様であると評価された。より多量の脂肪族アルコールが、より蝋様の感触及びローションをより感じられるようにする原因であると推測される。
【００６９】
ローションの実施例４：
発明の一部としてではあるがまた独立して、次の組成が特に有効であることがまた見出された。このローションは、本発明の中で主張されるようにローションの付着物及び分配を提供するのに特に適していると仮定される。用いられる特有成分が、ユーザーによるローションの知覚について、顕著な利益を提供すると、別に推測される。
【００７０】
【表５】
2007534386.tif 000011
＊米国シンシナティのプロクター・アンド・ギャンブル・ケミカルズ（Procter&Gamble Chemicals）から入手可能
＊＊クロンプトン社（Crompton Corporation）から入手可能
＊＊＊ミレニアム・スペシャルティ・ケミカルズ（Millennium Specialty Chemicals）から入手可能
上記の処方は、実施例１のティッシュ・ペーパー基材のもとに記載されるティッシュ・ペーパー基材の両外側表面に等しく付与された。総付加濃度は、各外側表面について６ｇ／平方メートル、３ｇであった。製品は、非常にかすかなハッカの香りを有しただけであった。次に製品は、実施例１のティッシュ・ペーパー製品と共に、同じ付加濃度により消費者使用試験を受けた。顕著に高い比率の官能試験員が、実施例１の製品と比較して、本実施例の製品を用いる時、爽快になる感触を知覚し、より自由に呼吸できると主張した。ＷＳ−２３の存在が上記の利益の原因であると推測される。その他の相対的に無臭の化合物（「冷感剤（cooling sensates）」）に関して、ティッシュ・ペーパーに付与された時に同様な利益が得られることが更に推測される。化合物の好適な種類には、非環式又は環式カルボキサミド、好ましくは２−イソプロピル−２，３−ジメチル酪酸の誘導体、より好ましくは２−イソプロピル−２，３−ジメチルブチルアミドの誘導体、及び最も好ましくは２−イソプロピル−Ｎ，２，３−トリメチルブチルアミド、メンタン誘導体、好ましくは３−置換ｐ−メンタン誘導体、より好ましくはｐ−メンタン−３−カルボキサミド及びその誘導体、エステル、エーテル、若しくはアミドのようなメントール誘導体、又はメントン誘導体が挙げられるがこれらに限定されない。「冷感剤（cooling sensate）」が揮発性化合物であり、処方から蒸発することができる場合には、知覚される効果はより強いことが更に推測される。可能性のある「冷感剤（cooling sensate）」の揮発性の評価のための好適な方法は、ガスクロマトグラフのヘッドスペース分析である。
【００７１】
ローションの実施例５：
発明の一部としてではあるがまた独立して、次の組成が特に有効であることがまた見出された。このローションは、本発明の中で主張されるようにローションの付着物及び分配を提供するのに特に適していると仮定される。用いられる特有成分が、ユーザーによるローションの知覚について、顕著な利益を提供すると、別に推測される。
【００７２】
【表６】
2007534386.tif 000012
＊米国シンシナティのプロクター・アンド・ギャンブル・ケミカルズ（Procter&Gamble Chemicals）から入手可能
＊＊クロンプトン社（Crompton Corporation）から入手可能
＊＊＊ミレニアム・スペシャルティ・ケミカルズ（Millennium Specialty Chemicals）から入手可能
＊＊＊＊ＩＦＦインターナショナル・フレーバーズ・アンド・フレグランシーズ（IFF International Flavors & Fragrances）から入手可能
上記の処方は、ティッシュ・ペーパーの実施例１のもとに記載されるティッシュ・ペーパー基材の両外側表面に等しく、基材の両外側表面に３ｇ／平方メートルの濃度で付与された。総付加濃度は、６ｇ／平方メートルであった。製品は、爽快になる香りを有しただけであった。
【００７３】
製品は次に、実施例３のティッシュ・ペーパー製品と共に、同じ付加濃度により消費者使用試験を受けた。平均して、官能試験員は、実施例４の製品と比較して、本実施例の製品に関して、より高いレベルの爽快になる感触を知覚した。製品はまた、２−イソプロピル−Ｎ，２，３−トリメチルブチルアミドを欠いた同じ製品と共に、香りのパネルを受けた。
【００７４】
ＷＳ−２３の存在は上記の利益の原因であること、特にそれは相乗的な方式で香料の知覚を高め補完することが推測される。その他の相対的に無臭の「冷感剤（cooling sensates）」に関して、ティッシュ・ペーパーの香料と組み合わせてティッシュ・ペーパーに付与された時に同様な利益が得られることが更に推測される。化合物の好適な種類には、非環式又は環式カルボキサミド、好ましくは２−イソプロピル−２，３−ジメチル酪酸の誘導体、より好ましくは２−イソプロピル−２，３−ジメチルブチルアミドの誘導体、及び最も好ましくは２−イソプロピル−Ｎ，２，３−トリメチルブチルアミド、メンタン誘導体、好ましくは３−置換ｐ−メンタン誘導体、より好ましくはｐ−メンタン−３−カルボキサミド及びその誘導体、エステル、エーテル、若しくはアミドのようなメントール誘導体、又はメントン誘導体が挙げられるがこれらに限定されない。「冷感剤（cooling sensate）」が揮発性化合物であり、処方から蒸発することができる場合には、効果はより強いことが更に推測される。可能性のある「冷感剤（cooling sensate）」の揮発性の評価のための好適な方法は、ガスクロマトグラフのヘッドスペース分析である。
【００７５】
付与プロセス：
本発明のプロセス工程は、ティッシュ・ペーパー製品の製造の上記の「加工工程」に関連する。ローションの付与は、それからローションが放出されてティッシュ・ペーパーに衝突する、回転面の使用を介して行うことができる。回転面の温度は、２つの現象の組み合わせを少なくとも保証するためにローションの組成物に適合するように選択されるが、その現象は：第１には、放出がローションを液滴の流れ（又は集団）の中に分散する。液滴の流れは、ティッシュ・ペーパーに衝突する時、ローションの特有の分配をティッシュ・ペーパーに生じさせる。ローションは、非常に多数の相対的に小さい離散された付着物として分配される。影響を受けるところへの付着物の全体的分布は、覆われるエリアの中で実質的に巨視的に均一である。第２には、液滴は液体又は擬似液体の形態で放出されると共に、衝突したティッシュ・ペーパーの上では固体又は擬似固体の形態である。液体形態又は擬似液体形態は、速やかな加工条件（装置のパイプを通るローションの流動及び回転面上への連続的流動）を保証するために望ましい。ティッシュ・ペーパーによる捕捉後、ローションの固体又は擬似固体形態は、ティッシュ・ペーパーの構造体への液滴の浸透を低減する利益を与える。液滴は、ペーパー繊維の網状組織に深く浸透せずに、ティッシュ・ペーパーの表面に固定されて留まる傾向を有する。これは、ローションの高い転移性を生じさせる。
【００７６】
ティッシュ・ペーパーの内部構造体の中のローションの浸透の低減は、ティッシュ・ペーパーの反対側に存在するローションの検出により測定できる。本発明の幾つかの実施形態では、ローションに直接衝突される表面に相対するティッシュ・ペーパーの表面上では、ローションはそれほど検出できない。
【００７７】
本発明の１つの実施形態では、ローションは一連の回転面を示す装置により付与される。実質的に目的のプロセスを実現できる装置の例は、ＰＣＴ国際公開特許ＷＯ−０２３４５１９及びＰＣＴ国際公開特許ＷＯ−２３４５２０に見出すことができ、両方共ドイツのワイトマン・アンド・コンラッド社（Weitmann and Konrad GmBh）により付与される。
【００７８】
ローションは回転面上に汲み上げられ、その上側表面は、作動中のティッシュ・ペーパーの表面に対してほぼ垂直に向いている（ただし、回転面と作動中のティッシュ・ペーパーとの間が９０°と異なる角度を有することについては幾つかの利点が机上では見出せる）。各回転面について、ティッシュ・ペーパーへの噴出の望ましい角度にのみ開くように、フラップ及びカバーが装置の中に任意に構築される。収集システムは、フラップ及びカバーにより捕捉されたローションを収集し、それを回転面上に戻してもよい（無駄になるローションの量を低減する利点を有する）。全装置又はその特定部品（例えば、回転面及び／又は供給パイプ）は、制御されたやり方で所定の温度に保持される。回転面に供給されたローションへの、回転面の回転により生成される遠心力（供給ラインからのローションの流動により生成される力によりあるいは補完される）は、ローションを放出し、微細な液滴の集団の中にそれを分散する。本発明の１つの実施形態では、静電手段が放出及び／又は液滴をティッシュ・ペーパーの上に導くのに役立ち得ることが予見される（こうした静電手段は、回転面とティッシュ・ペーパーとの間、及び／又は装置の他の部品の間に静電場を生成することができる）。任意に、フラップ及びカバーは、付与の幅を限定するために噴出を遮る。フラップ及び／又はカバーは、望ましいプロセス条件に対して調節可能であり得る。任意に、付与装置中では外部環境と比較して上回る圧力又は下回る圧力が、ローションの付与を促進するために用いられる。
【００７９】
回転面の速度は、所望のプロセス条件に、容易に制御及び調節され得る。より好ましくは、速度の制御及び調節は、回転面の下位集団に対して（最も好ましくは、個々の回転面に対して）行われることができる。
【００８０】
付与装置は、付与の温度を所望の値に容易に制御及び調節するためのシステムを含んでもよい。装置の温度は、ローションの溶融温度より０〜２０℃高く及び低く設定されてもよく、ローションの溶融温度より０〜１０、０〜５、及び０〜３高く及び低く設定されてもよい。その他の範囲は、ローションの溶融温度より０．５〜２及び１〜２℃高い及び低い温度を包含することができる。
【００８１】
回転面上に供給されるローションの流動は、所望のプロセス条件に、容易に制御及び調節され得る。より好ましくは、流動の制御及び調節は、回転面の独立した下位集団（最も好ましくは、各個々の回転面）に対して行うことができる。
【００８２】
上記の回転面は、供給ポイントから回転面の外側縁部までのローションの妨げられない流動を可能にするためにほぼ平面を提示する。しかしながら、平らでない、模様付きの、又は構造化表面（例えば、平行な又はらせん状の溝を有する）もまた用いることができる。更に、記載されるように、複数の供給ポイント又はエリアもまた用いることができる。
【００８３】
任意のフラップ及びカバーは、ローションが放出される開放角度を低減することにより、ローションの噴出／放出の方向を所望の方向に、即ちティッシュ・ペーパーの向きに、制限することができる。回転面当たり、１つの又は複数の開口部が可能である。
【００８４】
複数の回転面：
回転面の数は少なくとも１つであるが、ローション付与の所望の幅全部を覆うように、又は所望の目的のためにティッシュ・ペーパーに送達されるローションの量に合うように適合される。様々な回転面が実質的に列に配置され、したがってティッシュ・ペーパーの幅の一部又は全体を覆うことができる。あるいは又は更には、重ね合わせた回転面を企図することもでき、例えば２（又は３又は４以上）の回転面の重ね合わせた列を作製することができる。一般論として、回転面の位置は自由に選択でき、好ましくは下位集団において又はより好ましくは個々に、意図される目的について自由に選択できる。好ましくは、計器当たりの回転面の数は、２〜４０、３〜２０、又は５〜１０である。回転面の列の数は、好ましくは１〜５、１〜２、又は１である。
【００８５】
付与の重なり合い：
ローションの付与は、１を超える回転面の重なり合いから噴出が生じるゾーンを生成する可能性がある。この重なり合いの効果は、回転面並びに／又は任意のフラップ及びカバーの構成を調節することにより、低減又は排除することができる。あるいは、重なり合うことなく付着された量に対して、ティッシュ・ペーパーの全幅（又は一部の幅）上のローションの量を増加するために、ローションの噴出の重なり合いを生じさせることを企図することができる。本発明の１つの実施形態では、１又は多数のゾーン（ティッシュ・ペーパーの幅において）が、重なり合う噴出を有して生成される。これは、回転面（類）及び／又は任意のフラップ若しくはカバーの位置の調節を介して、噴出の重なり合いを注意深く選択することにより行われる。それによって生成されたティッシュ・ペーパーのゾーン（類）は、（重なり合いのない付与と比較して）ローションの増加した量を有する。最適な最終利益（例えば、使用中の多量のローションの転移、中央ティッシュ・ペーパー・ゾーンの高い転移、又は（一般的な方式で）使用中のティッシュ・ペーパーの接触による身体部分の最適な保護を保ちながらローションの総使用を低減する）を機能的に達成するために、ゾーン（類）の位置を選択することができる。
【００８６】
あるいは、重なり合いは付与されるローションの量を等しくする（即ち、ティッシュ・ペーパーの幅全体にわたって、付与されるローションの均質な坪量を有する）ために生成できる。これは、各個々の回転面が不規則の（又は不均質の）分配を提供する場合、特に適切である可能性がある。坪量は、ティッシュ・ペーパーの単位面積当たりに、ティッシュ・ペーパーに付与されるローションの重量として定義される。均質な分配は、ティッシュ・ペーパーの幅において考察されるエリアの位置と関係なく、ローションの実質的に同じ坪量が、ティッシュ・ペーパーの各エリアに見出され得るという事実により定義される。好ましくは、様々な回転面から生じる液滴の流れは、ティッシュ・ペーパーの幅において液滴の実質的に均質な分配を生じさせるやり方で調節される重なり合いを生成するように設定される。好ましくは、実質的に均質な分配は、ティッシュ・ペーパーの幅において測定される、平均坪量の＋／−４０％、＋／−２０％、＋／−１０％、＋／−５％、又は＋／−２％以下の坪量の範囲を生成する。
【００８７】
あるいは、本発明の別の実施形態では、ローションの付与は、ティッシュ・ペーパーの幅においてローションの不均質な分配を生成するように、意図的に調節される。ウェブの幅において液滴の噴出の重なり合いを生成する回転面は、液滴の流れが妨げられないような方式、例えば異なる高さで配置され得る。あるいは、付与の全幅が、ティッシュ・ペーパーの幅をほとんど正確に覆うように調節される。
【００８８】
間隙：
回転面及び／又は任意のフラップ及び／又はカバーは、ティッシュ・ペーパーにローションにより影響を受けない少なくとも１つのゾーンを生成するように配置され得る。最終結果は、ローションを有するゾーン（類）とローションを有さないゾーン（類）を持つティッシュ・ペーパーである。好ましくは、回転面（類）及び／又は任意のフラップ及び／又はカバーは、１枚の特異な最終製品（例えば、１つのペーパー・ハンカチーフなど）に後に作製される材料の各個々のゾーン上への付与の幅において、いずれの間隙も残さないように調節される。最も好ましくは、装置は、１つの特異な最終製品（例えば、１枚のペーパー・ハンカチーフなど）を後に作製することを意図される材料のゾーンの間に、定義された間隙を残すように設定される。注目すべきことには、１を超える最終製品を加工ティッシュ・ペーパーの幅に切断することは、一般的な工業的手法である（しかしながら、これは本発明にとっては必須ではない）。そのため、特定の実施形態では、最終製品の外側縁部（例えば、ペーパー・ハンカチーフの縁部）にはローションがない一方、最終製品の中央ゾーンはローションを有する連続ゾーンを含む。
【００８９】
ティッシュ・ペーパー表面へのローションの液滴の分配：
上記のように、付与方法の結果は、ティッシュ・ペーパー表面に効果的なローションの微細な液滴の集団（又は流れ）である。ローションの付与ウィンドウに対してティッシュ・ペーパー（又はティッシュ・ペーパー・ウェブ）が走行するのにつれて、液滴はローションの不連続な付着物をティッシュ・ペーパーの表面に生成する。注目すべきことに、本発明の目的のために、及び本明細書の中では、用語「液滴」は、回転面から放出されるローションの個々の単位を指す。用語「付着物」（等しく「フレーク」と呼ばれる）は、ティッシュ・ペーパー上への液滴の衝突の結果として得られるローションの単位を指す。液滴の形状及びサイズは、付着物（又はフレーク）と同一ではないことは容易に理解できる。液滴及び付着物のサイズを測定するための方法は、本明細書の終わりの方に、「方法」という節において表される。
【００９０】
好ましくは、本発明のプロセスにより生成された液滴の相対的に高い比率は、３＊１０-4μＬより大きく、３＊１０-3μＬより大きく、１０-2μＬより大きく、３μＬ〜３＊１０-4μＬ、又は０．３μＬ〜０．０３μＬである。
【００９１】
液滴容積は、以下に記載されるような粒径分析により測定できる液滴直径から計算することができる。液滴の相対的に高い比率とは、液滴の少なくとも２０重量％を超える、好ましくは５０重量％を超える、更により好ましくは７０重量％を超える、及び最も好ましくは９０重量％を超えることを意味する。
【００９２】
ティッシュ・ペーパー実施例１：
次の実施例で用いられるティッシュ・ペーパーは、約１５．４ｇ／平方メートルの坪量を有する、従来の湿潤圧縮の均質な乾燥クレープ・ティッシュ・ペーパーである。ペーパー・ウェブは、約４０％の北部針葉樹クラフト（Northern Softwood Kraft）及び６０％のユーカリの組成を有する。抄紙に続いて、４シートのペーパーがオフライン組み合わせ操作により共に組み合わされる。予め組み合わせた４プライの親ロールを、次に、４プライのティッシュ・ペーパー製品に加工する。４プライの親ロールを巻き戻し、２つの滑らかなスチールカレンダーロール間におけるカレンダー工程に供し、次いで、高圧エンボス加工によりプライの結合を達成する。ティッシュ・ペーパーの大部分は、高圧エンボス加工により影響を受けないまま残る。最後にティッシュ・ペーパーは、およそ２１ｃｍ×２１ｃｍのシートに機械方向に切断され次に横断方向に切断され、折り畳まれて、９シートの束に積み重ねられ、個々のポケット包装に包装された。上記のプロセスにより得られる４プライのティッシュ・ペーパー製品は、およそ６０ｇ／平方メートルの坪量（付与されたいずれのローションも包含しない）、０．２７ｍｍの厚さ、５０４ｇ／ｃｍ（１２８０ｇ／インチ）の機械方向強度、２４０ｇ／ｃｍ（６１０ｇ／インチ）の横断方向強度、及び約２００ｇの湿潤破裂を有した。それは、湿潤強度剤及び乾燥強度剤を含有した。
【００９３】
ティッシュ・ペーパー実施例２
次の実施例で用いられるティッシュ・ペーパーは、約１４．６ｇ／平方メートルの坪量を有する、従来の湿潤圧縮の層状の乾燥クレープ・ティッシュ・ペーパーである。外側の層は約１００％のユーカリ繊維を含有する一方、内側の層は約８５％の北部針葉樹クラフト（Northern Softwood Kraft）、１０％のＣＴＭＰ、及び約５％のユーカリ繊維の完成紙料ミックスから構成される。両方の層は、およそ等しい坪量である（対称的な層の分割）。抄紙に続いて、４シートのペーパーがオフライン組み合わせ操作により共に組み合わされる。予め組み合わせた４プライの親ロールを、次に、４プライのティッシュ・ペーパー製品に加工する。４プライの親ロールを巻き戻し、２つの滑らかなスチールカレンダーロール間におけるカレンダー工程に供し、次いで、高圧エンボス加工によりプライの結合を達成する。ティッシュ・ペーパーの大部分は、高圧エンボス加工により影響を受けないまま残る。最後にティッシュ・ペーパーは、およそ２１ｃｍ×２１ｃｍのシートに機械方向に切断され次に横断方向に切断され、折り畳まれて、９シートの束に積み重ねられ、個々のポケット包装に包装された。上記のプロセスにより得られる４プライのティッシュ・ペーパー製品は、およそ６０ｇ／平方メートルの坪量（付与されたいずれのローションも包含しない）、０．２７ｍｍの厚さ、４６４ｇ／ｃｍ（１１８０ｇ／インチ）の機械方向強度、２２０ｇ／ｃｍ（５６０ｇ／インチ）の横断方向強度、及び約２００ｇの湿潤破裂を有する。それは、湿潤強度剤及び乾燥強度剤を含有する。
【００９４】
ティッシュ・ペーパー実施例３
約３％濃度の北部針葉樹クラフト（Northern Softwood Kraft）（ＮＳＫ）の水性スラリーを慣用的なパルパーを使用して作成し、ストックパイプを通して長網抄紙機のヘッドボックスに送る。ハーキュレスのカイメン  ５５７  ＬＸ（Hercules' Kymene 557 LX）の１％分散を調製し、最終的な衛生ティッシュ・ペーパーの乾燥重量を基準として約０．８％のカイメン  ５５７  ＬＸ（Kymene 557 LX）を送達放出するのに充分な割合でＮＳＫ紙料パイプに添加する。永続性湿潤強度向上樹脂の吸収は、処理されたスラリーをインライン・ミキサーに通すことで向上する。水に溶解して１％の溶液濃度に希釈したカルボキシメチルセルロース（ＣＭＣ）水溶液を、次に最終的な衛生ティッシュ・ペーパーの乾燥重量を基準として約０．１重量％ＣＭＣの割合で、インライン・ミキサー後のＮＳＫ紙料パイプに添加する。ＮＳＫ繊維の水性スラリーを、ＣＭＣの分布を助けるための遠心性紙料ポンプに通す。１重量％の濃度のジタロウジメチルアンモニウムメチルサルフェート（ＤＴＤＭＡＭＳ）水分散液（７６℃（１７０°Ｆ））を、最終的な衛生ティッシュ・ペーパーの乾燥重量を基準として約０．１重量％のＤＴＤＭＡＭＳの割合でＮＳＫ紙料パイプに添加する。約１．５重量％のユーカリノキ由来さらしクラフト繊維性パルプ繊維（ブラジル、アラクルス（Aracruz-Brazil）から入手）の水性スラリーを、従来のリパルパーを用いて調製し、長網抄紙機のヘッドボックスに向かわせる紙料パイプに通す。このユーカリノキ由来完成紙料を、ファンポンプ（fan pump）の場所でＮＳＫスラリーと混合し合流させ、そこで、双方は、約０．２％の濃度まで白水（white water）により希釈される。約３重量％のユーカリノキ由来さらしクラフト繊維性パルプ繊維（ブラジル、アラクルス（Aracruz-Brazil）から入手）の水性スラリーを、従来のリパルパーを用いて調製する。ユーカリノキスラリーを第２のファンポンプに通し、そこで、それは、約０．２％の濃度まで白水（white water）により希釈される。運転中の長網抄紙機ワイヤに排出させるまで別個の層としての流れを維持するための層化リーフ（leaves）が適切に装備された多チャネルヘッドボックス中に、ＮＳＫ／ユーカリノキとユーカリノキのスラリーは向かわされる。３つのチャンバからなるヘッドボックスが使用される。最終的な衛生ティッシュ・ペーパーの乾燥重量の４８％を含有するユーカリノキスラリーを、ワイヤに接触している層に導くチャンバに向かわせ、一方、最終的ペーパーの乾燥重量の５２％を含有するＮＳＫ／ユーカリノキスラリー（２７〜３５％ＮＳＫ及び１７〜２５％ユーカリノキ）を、中心及び内部層に導くチャンバに向かわせる。ＮＳＫ／ユーカリノキとユーカリノキスラリーをヘッドボックスの排出時に混合し、複合スラリーとする。複合スラリーを、運転中の長網抄紙機ワイヤに排出し、そらせ板（deflector）及び真空ボックスの助けによって脱水する。初期ウェットウェブを、移送の時点で約１７重量％の繊維濃度で長網抄紙機のワイヤから模様付き乾燥ファブリックに移送させる。乾燥ファブリックは、連続する網目状の高密度（ナックル）エリア内に不連続な低密度偏向用エリアを有する高密度模様付きティッシュ・ペーパーが得られるように設計される。この乾燥ファブリ��クは、不透過性樹脂表面を繊維メッシュ支持ファブリックに流延（casting）することにより形成される。支持ファブリックは４８×５２のフィラメント製、二重層メッシュである。樹脂型の厚さは、支持ファブリックの上約２０３μｍ（８ミル）である。ナックルエリアは、約３５〜５０％であり、連続気泡は、約４３８〜３６２５／ｃｍ2（６８〜５６２／平方インチ）の頻度で残る。ウェブが約２３〜２７％の繊維濃度になるまで、真空の助けによる排水により、更なる脱水が達成される。模様付き形成ファブリックと接触した状態のままで、模様付きウェブを通気することにより約６０重量％の繊維濃度まで予備乾燥する。半乾燥ウェブは、次に、ポリビニルアルコールの０．２５０％水溶液を含むスプレーされたクレーピング接着剤で、ヤンキードライヤーの表面に接着される。クレーピング接着剤は、ウェブの乾燥重量基準で０．１％の接着剤固体の割合で、ヤンキー表面に供給される。ドクターブレードを有するヤンキーからウェブが乾燥クレープ加工される前に、繊維濃度は約９８％まで増加する。ドクターブレード後、スチール〜ゴム製カレンダーロールを用いて、２〜３ＭＰａ（３００〜５００ｐｓｉ）の負荷にて、ウェブをその幅全体にわたってカレンダー加工する。結果として得られるティッシュ・ペーパーは、約２０〜２５ｇ／ｍ2の坪量；９８〜１４６ｇ／ｃｍ（２５０〜３７０ｇ／インチ）の１つのプライの総乾燥張力、１４〜２５ｇ／ｃｍ（３５〜６５ｇ／インチ）の１つのプライの湿潤破裂、及び約０．０４〜０．０５ｃｍ（０．０１５〜０．０２０インチ）の２つのプライのキャリパーを有する。次に、得られるティッシュ・ペーパーを、その外側にユーカリノキの繊維が面するように、同様のシートと組み合わせて、２つのプライの、クレープ加工した、押紋されたティッシュ・ペーパーを形成し、次に、２つの滑らかなスチールカレンダーロール間でカンレンダー加工に付与する。次に製品は、両方のプライが確実に一緒に保持されるように、機械的プライ結合ホイールを用いて、プライ結合される。結果として得られる２つのプライのティッシュ・ペーパーは、ａ）約３９〜５０ｇ／ｍ2の総坪量；ｂ）１７７〜２７５ｇ／ｃｍ（４５０〜７００ｇ／インチ）の２つのプライの総乾燥張力；ｃ）３９〜５１ｇ／ｃｍ（１００〜１３０ｇ／インチ）の２つのプライの湿潤破裂；ｄ）約０．５１〜０．８９ｍｍの４プライのキャリパーを有する。
【００９５】
上記のティッシュ・ペーパーは、記載されるローションのいずれとも組み合わせて用いることができる。
【００９６】
装置：
ティッシュ・ペーパー及び織物業界用のアプリケータヘッドを有する市販の回転噴霧付与装置ＲＦＴ−コンパクト−ＩＩＩ（RFT-Compact-III）（ドイツのラインフェルデン  エヒテルディンゲンのワイトマン・アンド・コンラッド社（Weitmann&Konrad GmbH & Co KG）から入手可能）は、本発明を実施するために用いられるように改善された。付与ヘッドは、５セットの回転ディスク（タイプ１／１）を装備し、４４８ｍｍの有効な付与幅を有する。付与ヘッドの筐体は、付与ヘッドの最上部、最下部、及び後ろ側面において、水加熱壁と交換された。次に全装置が外側に対して絶縁された。これらの改善された付与ヘッドの２つを用い、ティッシュ・ペーパー・ウェブの両側が同時に処理できるよう互いに向かい合わせて設置された。一体型ポンプ（タイプＷ６０／１０−１２／４０（Type W60/10-12/40）、ドイツのケルビプラスト社（Kelviplast GmbH）から入手可能）を有する加熱装置が、所望の温度の水を付与装置に供給するために用いられる。特に、加熱要素の設計は、付与ヘッドの内部の温度が相対的に均一になるように、選択された。付与ヘッドのローションの送り込みは、ヒートトレース配管系を通じて、加熱ポンプに接続され、これはヒートトレース配管を通じて、溶融したローションを保持する１００ｌの加熱タンクに接続される。アプリケータの戻りラインは加熱タンクの中に戻される。加熱された流量計が、ローション供給ラインの中に、ポンプと付与ヘッドの間に設置された。流量計（プロマス（Promass）６３Ｍ、スイスのエンドレス・アンド・ハウザー（Endress & Hauser）から入手可能）は、ＲＦＴ−コンパクト−ＩＩＩ（RFT-Compact-III）システムの制御装置に接続されるが、これは次にローションのポンプ（タイプ、ラブ・ブロックス（type Labu Brox）のギアポンプ）が所望のローションの流れを付与ヘッドに送達するのを制御するために用いられた。
【００９７】
市販の付与ヘッドの回転面の設定、形状、及び寸法にはいずれの変更もされなかった。回転面の各セットは、互いの最上部に積み重ねられた２枚の回転ディスクから成った。各積み重ねの２つの回転面へのローションの供給は、等しく分割される。ディスクは、約９８ｍｍの直径を有する。回転面の５つの個々の積み重ねは、約１１２ｍｍの間隔をあけられる。回転面の第１、第３、及び第５のセットは、水平に重なり合う液滴の流れの間の妨げにならないように、回転面の第２及び第４の積み重ねに対して垂直に移動するように設置される。回転面のセットはドイツのワイトマン・アンド・コンラッド社（Weitmann & Konrad GmbH & Co）から市販される（タイプ１／１（type 1/1）、技術番号（Art. No.）６１８９９６［上部セット］及び６１８９９７［下部セット］）。アプリケータは水平に動作し、約１５４ｍｍのウェブとディスクの中央との間の距離を有する。ウェブは、２つの付与ヘッドの間を最上部から最下部まで垂直に動く。回転面とウェブとの間の筐体のウィンドウにより制御されて、回転面の各積み重ねは、ウェブ上の約２２４ｍｍの横断方向の幅を覆うが、例外としてアプリケータの回転面の２つの外側の積み重ねは、各々１１２ｍｍしか覆わない。各位置において、回転面の２つの積み重ねの流れが重なり合う。ディスクの個々の積み重ねへの均等な分配が、回転ディスクへの送り込みとアプリケータの中央供給パイプとの間に設置された、１ｍｍ直径のスロットルを用いて達成された。ローションの温度は、タンク、配管、及び付与ヘッドの温度を所望の値に加熱することにより、所定の値に制御される。流量は、ティッシュ・ペーパーの所望の付加濃度を達成するために調節される。付与中に、ティッシュ・ペーパー・ウェブは、典型的には、室温に保たれる。幾つかの試料が製造されたが、その場合ティッシュ・ペーパーは、ローションの付与前に冷却又は加熱された。ローションは、ペーパー・ウェブに衝突した後、ほとんど即座に固化する。付与装置は、カレンダー加工及び高圧エンボス加工の後、並びにウェブが切断され折り畳まれる前の加工プロセスにおいて設置される。
【００９８】
プロセス条件：
回転面は、２６２ｒａｄ／ｓ（２５００ｒｐｍ）で、以下に記載される試料について操作されたが、追加の試料はまた、２１ｒａｄ／ｓ（２００ｒｐｍ）〜５２４ｒａｄ／ｓ（５０００ｒｐｍ）の速度で行われた。
【００９９】
ローションは、通常、融点より約２〜１０℃高い温度に保持され、以下に記載されるローションについては、すべての温度設定は５６℃に保たれた。製品はまた、融点より２℃下より低く、及び１０℃上より高い温度でも製造された。以下の実施例についてのウェブ速度は２００ｍ／ｍｉｎであるが、試料は１０ｍ／ｍｉｎ〜４００ｍ／ｍｉｎのウェブ速度でも製造された。
【０１００】
データ：
表１は、例示された処方により得られた結果の概略を示す：
【０１０１】
【表７】
2007534386.tif 000013
図１ａの説明：ローション処方３により処理されるティッシュ・ペーパーの５ｍｍ×５ｍｍの試料の局所坪量の分布を表す濃淡度マップ（左、白は試料中のローションの局所坪量の最高レベルを表す）及びその試料の横断面のローションの分布（右、左の絵の点線は、横断面の平面を表す）。
【０１０２】
図１ｂの説明：クリネックス・バルサム（Kleenex Balsam）（登録商標）の５ｍｍ×５ｍｍの試料の局所坪量の分布を表す濃淡度マップ（左、白は試料中のローションの局所坪量の最高レベルを表す）及びその試料の横断面のローションの分布（右）。
【０１０３】
試験方法：
液滴のサイズ：液滴のサイズ分布が、ドイツのシンパテック社（Sympatec GmbH）から入手可能なヘロス−バリオ／ＫＦ  マジック（HELOS-VARIO / KF MAGIC）レーザー回折システムを用いて測定できる。液滴の容積は、以下に記載されるような粒径分析により測定できる液滴直径から計算できる。液滴の相対的に高い比率とは、液滴の少なくとも２０重量％を超える、好ましくは５０重量％を超える、更により好ましくは７０重量％を超える、及び最も好ましくは９０重量％を超えることを意味する。
【０１０４】
溶媒抽出による平均のローション付加濃度（ティッシュ・ペーパーのローションの坪量）：約２ｇのローションで処理されたティッシュ・ペーパーの代表的な試料が、高速溶媒抽出法（Accellerated Solvent Extraction）（ＡＳＥ）により、米国ジオネックス社（Dionex Corp.）から入手可能なモデルＡＳＥ２００を用いて抽出される。次の条件が用いられる：１１ｍＬの抽出セル、溶媒混合物：５０％アセトン／ｎ−ヘキサン；温度：１００℃（熱及び静電気５分間）；圧力：６．８ＭＰａ（１０００ＰＳＩ）；１００％フラッシュにより２サイクル。溶媒を蒸発させ、残留物が重量測定法で決定される。次にローションの付加が、次のように計算される
【０１０５】
【数５】
2007534386.tif 000014
指定された溶媒は好ましい選択であるが、考えられるすべての可能性のあるローションを抽出するためには好適ではない場合もある。定量的抽出を行うためにローションがこの溶媒に十分に可溶性でない場合には、ローションを定量的に抽出するために好適である別の溶媒が選択されなければならない。
【０１０６】
付着物の局所エリアの中のローションを定量化するための全体的な方法：ローションの局所坪量（ＬＬＢＷ）、試料のローションの坪量（ＬＢＷＳ）、付着物のローションの坪量（ＬＢＷＤ）、付着物の影響を受ける面積（ＡＡＤ）、ローションの影響を受ける面積（ＡＡＬ）、及び平均の付着物サイズ（ＡＤＳ）の決定。
【０１０７】
ローションの局所坪量は、スポットライト（Spotlight）ソフトウェアのバージョン１．１．０Ｂ３８と組み合わされたパーキン・エルマー・スペクトル・スポットライト３００（Perkin Elmer Spectrum Spotlight 300）機器を用いた透過モードによるＩＲ／ＮＩＲ分光法（吸光光度法）の走査により決定される。
【０１０８】
次の手順が、繰り返し−（ＣＨ２）−単位の直鎖炭化水素構成成分を含有するローションに付与可能である。ローションが、大部分又は全体的に他の物質から構成される場合には、以下に記載されるように同様な手順が適用できる。
【０１０９】
測定は、ティッシュ・ペーパーの代表的な一連の試料を用いて行われなければならない。各試料は次のように加工される：５×５ｍｍの試料（又はより大きい）がサンプルホルダーに設置され、このサンプルホルダーは、ＸＹテーブルに設定され分析に用いられるスペクトル範囲が、ｘ及びｙの両次元に空間分解能２５μｍで走査される。−ＣＨ２−基の直鎖を含有する物質の分析のために、４０００ｃｍ−１〜４５００ｃｍ−１の領域が走査され、及び４２９６ｃｍ−１（Ｗ１）〜４３６８ｃｍ−１（Ｗ２）の範囲が分析のために用いられる。少なくとも１６の走査が１ｃｍ−１の解像度で行われる。１６を超える走査が用いられる場合、試料が加熱による結果として構造を変えないことについて注意を払う必要がある。次に試料の局所坪量のマップが生成される。Ｗ２とＷ１及び勾配のある線形の基線の上の間の積分された吸収が、ソフトウェアのケミマップ（ChemiMap）メニューを用いて２５μｍ×２５μｍの各ピクセルについて決定される。基線は、Ｗ１及びＷ２における吸光度により定義される。２つの基点の選択肢がソフトウェアのケミマップ（ChemiMap）メニューにおいて選択され、並びにＷ１及びＷ２において設定される。積分の開始及び終了点もまたＷ１及びＷ２において設定される。倍率は、Ｖ１＝Ｆ＊ＤＷとして定義される値Ｖ１に設定され、その場合Ｆは以下に記載される係数であり、及びＤＷ＝Ｗ２−Ｗ１は、ｃｍ-1による高部（Ｗ２）と低部（Ｗ１）波数との間の波数の差である。
【０１１０】
係数ＤＷによる換算（scaling）は、基線の上の波数域Ｗ１とＷ２との間の平均吸光度を基線の上の積分された吸収に変換する。係数Ｆは、積分された吸収を、ｇ／平方メートルによる局所坪量に変形する。
【０１１１】
ケミマップ（ChemiMap）コマンドにより生成されるファイルは、エリア内の２５μｍ×２５μｍの各ピクセルについて局所坪量を含有する。ファイルはテキストファイル（．ｔｘｔフォーマット）として、またビットマップ（．ｂｍｐフォーマット）として、８ビットのグレースケールフォーマットに保存される。．ｔｘｔファイルは、エクセル（EXCEL）にインポートされ、第１行及び第１列が除去される（それらは画像データを含有しないが、位置データを含有する）。結果として得られるデータは、ｇ／平方メートルによる局所坪量のピクセルの配列を表している。全データセットの最大（ＭａｘＬＢＷ）及び最小（ＭｉｎＬＢＷ）値、並びに平均（ＡｖｇＬＢＷ）がエクセル（EXCEL）において計算される。
【０１１２】
ビットマップファイル（．ｂｍｐファイル）は、更なる加工のためにアナリシス（AnalySIS）画像解析ソフトウェア（ドイツ、ソフト・イメージング社（Soft Imaging GmbH）から入手可能なアナリシス・プロ・バージョン３．１（Analysis Pro version 3.1）（ビルド５０８（build508）））にインポートされる。インポートされたグレースケールのファイルは、全３色のチャネルの設定が等しい（８ビット解像度による）ＲＧＢフォーマットのままである。アナリシス（AnalySIS）では、ファイルは、３つの等しいカラーチャネルの内の１つ（赤）を抽出するためにカラー分離される。結果として得られるファイルは、今度はＧ＝０〜Ｇ＝２５５に目盛りを付けられ、Ｇ＝０は元のスポットライトデータの最小値（ＭｉｎＬＢＷ）を表し、２５５は元のスポットライトデータの最大値（ＭａｘＬＢＷ）を表す。ｘ及びｙの次元によるピクセルのサイズを元の試料に適合するように設定することにより、画像はｘ−ｙについて較正される。画像は、ｇ／平方メートルによる局所坪量の値を表示するためにＺ方向について再び目盛りをつけられるが、アナリシス（AnalySIS）内のすべての計算はＧ＝０〜Ｇ＝２５５の目盛りにおいてなされなければならない。ローションの局所坪量のマップとしての試料の表現の例は、図１ａ及び１ｂに示される。
【０１１３】
Ｇの値は、次の関係により、容易にローションの局所坪量数に変換できる：
ＬＬＢＷ＝Ａ＊（Ｇ＋ＯＦＦＳＥＴ）、その場合Ａ＝（ＭａｘＬＢＷ−ＭｉｎＬＢＷ）／２５５及びＯＦＦＳＥＴ＝（２５５＊ＭｉｎＬＢＷ）／（ＭａｘＬＢＷ−ＭｉｎＬＢＷ）
Ｇの値は、次の関係により、容易にローションの局所坪量数（ＬＬＢＷ）に変換できる：Ｇ＝（ＬＬＢＷ／Ａ）−ＯＦＦＳＥＴ
付着物のローションの坪量の計算：１０ｇ／平方メートルを超えるローションの全局所坪量のデータポイントの平均値が、エクセル（EXCEL）データファイルから計算できる。
【０１１４】
ローションにより影響を受けるティッシュ・ペーパーの面積が、３ｇ／平方メートルと等しいＧ値における低部閾値を設定し、その閾値の上の面積を計算することにより、アナリシス（Analysis）において計算される。設定「充填されていない孔（holes not filled）」が用いられる。付着物の面積は、１０ｇ／平方メートルと等しいＧ値における（１０ｇ／平方メートルはＧ＝１０／Ａ−ＯＦＦＳＥＴと等しい）閾値を設定することにより同様に決定される。
【０１１５】
付着物が特定の最小及び／最大面積を有するように定義される場合は、最小及び／最大面積はフィルターとして設定される。特定面積より大きい付着物の面積の百分率は、面積フィルターなしに計算される付着物の面積を、面積フィルターありで計算される付着物の面積で割ることにより計算される。
【０１１６】
積分された吸収値をローションの局所坪量値に変換する係数Ｆは、次の手順により決定される：既知のローションの平均坪量の較正試料の代表的セットが、上記のような分析に用いられるスペクトル域において走査され、Ｗ１とＷ２との間（主に炭化水素様物質について４２９６ｃｍ−１〜４３６８ｃｍ−１）の積分されたピーク面積について分析された。積分されたピーク面積は、係数Ｆが１と等しく設定される場合には、上記の手順から得られる。次にデータセットはエクセル（EXCEL）にインポートされ、このデータセットの平均ピクセル値が計算される。係数Ｆが１と等しく設定されているために、この値は、Ｗ１〜Ｗ２の波数域の試料の平均の積分ピーク面積（ＡＩＰＡ）と等しい。次に係数Ｆが、試料のＡＩＰＡ対平均ローション坪量のプロットの原点を通る線形最小自乗近似のＦ＝１／勾配として計算される。係数Ｆを決定するための較正試料を調製すること又は既存のローション付き試料を用いることができる。既存の試料を用いる場合には、ローションの坪量を抽出により決定することができる。こうした手順の例は、以下に与えられる。既存の試料（市販製品）を分析することにより、及び較正試料を調製することにより、係数Ｆをどのようにして決定するかについての例もまた以下に与えられる。分析に用いられる波長域の吸光度は、赤外線信号とローションの局所坪量との間の線形相関を確実にするために、約１を決して超えるべきでないことが重要である。
【０１１７】
較正試料を調製することによる係数Ｆの決定（ローションの実施例１の製品）：
較正試料の調製：好ましくは、溶融したローションをティッシュ・ペーパーに均一に噴霧することにより、既知の面積、重量、及び坪量の基材の好適な部分がローションにより均一に処理される。好適な種類の装置は、ドイツのアイカーク（Aichach）のＭＫハイスヴァクステクニーク社（MK Heiswachstechnik GmbH）から入手可能なホットワックスカートリッジ噴霧ガンのタイプＭＫ−デュオライン技術番号１４０１０１（MK-DUO Line Art.No. 140101）である。付与後、ローションは、試料を融点の約１０℃高い温度で（又はシート中のローションの十分な平衡を可能にするのに好適な温度で）オーブン中に設置することにより平衡化される。相対的に低い粘度の試料については、約１時間の平衡で十分である。次に試料は室温に冷却され、２３℃（＋−１℃）及び相対湿度５０％（＋−２％）で水分含有量について平衡化され、再び秤量される。次にその試料のローションの坪量［ｇ／平方メートルによる］が（ローション処理後の試料の重量［ｇによる］−ローション処理前の試料の重量［ｇによる］）を試料の面積［平方メートルによる］で割ったものとして計算される。次に試料は上記の手順により分析されて係数Ｆを決定する。好ましくは較正試料は、測定される範囲を包含するローションの坪量の範囲で調製される。
【０１１８】
較正試料は、較正範囲内の線形性を確認するために用いられるべきである：図２に示される検量線は、ローションの実施例１のローションについて生成された。
【０１１９】
市販製品（クリネックス・バルサム（Kleenex Balsam）（登録商標）、ドイツでキンバリークラーク（Kimberly Clark）により販売される）の係数Ｆの決定：試料の坪量は標準手順により決定される。次に試料は、４２９６ｃｍ−１〜４３６８ｃｍ−１の間の平均の積分ピーク面積について、上記の手順により分析される。次に試料は以下に記載される手順により抽出され、ローションの付加を決定する。次に係数Ｆは次のように計算される。
【０１２０】
係数Ｆ＝ローションの坪量［ｇ／平方メートル］／平均積分ピーク面積
ローションが十分な量の直鎖炭化水素様物質を含有しない場合、又は基材が、４２９６ｃｍ−１〜４３６８ｃｍ−１の間のローションの定量化が可能でない物質を含有する場合には、ＩＲ分光法によりローションを定量化するのに好適である、赤外線又は近赤外線域の異なる波数域が特定されなければならない。基線の上の積分された吸収係数とローションの坪量との間の線形相関を有するいずれの波数域を用いることもできる。１を超える可能性のある波数域が特定できる場合には、ノイズ比に対して最良の信号を有する域が用いられる。ローションが、ＣＨ２基を有する直鎖炭化水素様物質に基づく場合はいつでも、４２９６ｃｍ−１〜４３６８ｃｍ−１の間の吸収バンドが用いられるべきである。
【０１２１】
本明細書で引用されるすべての文献は、その関連部分において本明細書に参考として組み込まれるが、いずれの文献の引用も、本発明の特許性を損なうことを容認するものと解釈すべきではない。
【０１２２】
本発明の特定の実施形態が説明及び記載されてきたが、本発明の精神及び範囲から逸脱することなく他の様々な変更及び修正を行えることが当業者には明白であろう。したがって、本発明の範囲内にあるそのようなすべての変更及び修正を、添付の特許請求の範囲で扱うものとする。
【図面の簡単な説明】
【０１２３】
【図１】記載方法により分析される時のローションを含むティッシュ・ペーパーの表面を表したものである。図１ａは参照製品「クリネックス・バルサム（Kleenex Balsam）」。図１ｂは本発明のティッシュ・ペーパー製品（実施例１のローション）。
【図２】記載方法についての検量線。
【図１】
2007534386.tif 000019
【図２】
2007534386.tif 000020
【国際調査報告】
2007534386.tif 000021
2007534386.tif 000022